(57)【特許請求の範囲】
【請求項１】
一部の領域が切開された切開部を有し、その内面に沿ってコイル束が離隔して配置された円筒状の収容部材と、
前記収容部材の内部に回転可能に収容され、前記収容部材の円周方向に沿ってお互い交番にＮ極とＳ極の磁性を持つように設けられ、前記切開部を介してその一部が外部に露出する回転部材と、
前記回転部材の回転によって発生する電気を直接充電することができるように前記収容部材と電気的に接続されて一側に設けられる蓄電池と、を含んでなることを特徴とする、風力発電機。
【請求項２】
前記回転部材は、「＋」字状をし、前記収容部材の内部に回転可能に結合する回転体と、前記回転体の端部から前記回転体の回転方向と反対の方向に所定の長さに延設される延長片とから構成されることを特徴とする、請求項１に記載の風力発電機。
【請求項３】
前記延長片は前記収容部材の内面に沿って屈曲されるように設けられることを特徴とする、請求項２に記載の風力発電機。
【請求項４】
前記収容部材の底面には、前記収容部材の内部に流入する水分または異物を前記収容部材の外部に排出させることが可能な排出孔が貫設されることを特徴とする、請求項３に記載の風力発電機。
【発明の詳細な説明】
【技術分野】
【０００１】
本発明は、天然エネルギー源としての風力を利用して電気を発電することにより、環境にやさしく環境を保護することが可能な風力発電機に関する。
【背景技術】
【０００２】
最近、自動車は、遠距離走行の便利性及び迅速性のため、各家庭毎に保有台数が増えている。例えば、韓国の場合は、既に１，７００万台（全世界的には７億２５００万台）を突破し、平均的に各家庭毎に１台以上の自動車を保有している。
【０００３】
このような自動車の増加に伴い、燃料としての揮発油、軽油、ＬＰＧなどの消耗量もさらに増えてきたが、このような石油資源はその埋蔵量が限られている。よって、このままの趨勢で行けば半世紀後には石油資源が枯渇してしまうだろうという懸念の声が高まっている。また、自動車から発生する煤煙は、大気汚染の主原因の一つであって、地球温暖化などの諸般的な環境問題を引き起こしている。
【発明の概要】
【発明が解決しようとする課題】
【０００４】
本発明は、かかる問題点に鑑みてなされたもので、その目的は風力を利用しうる簡単な構成で電気を発電させることにより環境にやさしい風力発電機を提供することにある。
【課題を解決するための手段】
【０００５】
上記目的を達成するための本発明の風力発電機は、一部の領域が切開された切開部を有し、その内面に沿ってコイル束が離隔して配置された円筒状の収容部材と、前記収容部材の内部に回転可能に収容され、前記収容部材の円周方向に沿ってお互い交番にＮ極とＳ極の磁性を持つように設けられ、前記切開部を介してその一部が外部に露出する回転部材と、前記回転部材の回転によって発生する電気を直接充電することができるように前記収容部材と電気的に接続されて一側に設けられる蓄電池とを含んでなることを特徴とする。
【０００６】
ここで、前記回転部材は、「＋」字状をし、前記収容部材の内部に回転可能に結合する回転体と、前記回転体の端部から前記回転体の回転方向と反対の方向に所定の長さに延設される延長片とから構成されることを特徴とする。
【０００７】
前記延長片は、前記収容部材の内面に沿って屈曲されるように設けられることを特徴とする。
【０００８】
前記収容部材の底面には、前記収容部材の内部に流入する水分または異物を前記収容部材の外部に排出させることが可能な排出孔が貫設されることを特徴とする。
【発明の効果】
【０００９】
上述したように、本発明に係る風力発電機は、風力を利用しうる簡単な構成で電気を発電させることにより、環境にやさしく環境を保護することができるという効果がある。
【図面の簡単な説明】
【００１０】
【図１】本発明の一実施例に係る風力発電機の構造を示す平面図である。
【発明を実施するための形態】
【００１１】
以下に添付図面を参照しながら、本発明の一実施例に係る風力発電機を詳細に説明する。
【００１２】
図１は本発明の一実施例に係る風力発電機の構造を示す平面図である。
【００１３】
図１に示すように、本発明の一実施例に係る風力発電機は、一部の領域が切開された切開部２１０を有し、その内面に沿ってコイル束２２０が離隔して配置された円筒状の収容部材２００と、前記収容部材２００の内部に回転可能に収容され、前記収容部材２００の円周方向に沿ってお互い交番にＮ極とＳ極の磁性を持つように設けられ、前記切開部２１０を介してその一部が外部に露出する回転部材３００と、前記回転部材３００の回転によって発生する電気を直接充電することができるように前記収容部材２００と電気的に接続されて一側に設けられる蓄電池４００とを含んでなる。
【００１４】
コイル束２００に巻き取られたコイルの巻取回数が多くコイル束２２０とコイル束２２０との間隔が稠密であるほど、発電される電気の容量は大きくなり、収容部材２００の底面には、収容部際２００の内部に流入する水分又は異物を収容部材２００の外部へ排出させることが可能な排出孔２３０が貫設されている。
【００１５】
より詳しく説明すると、回転部材３００は、「＋」字状をし、前記収容部材２００の内部に回転可能にその中心が結合される回転体３１０と、前記回転体３１０の端部から前記回転体３１０の回転方向と反対の方向に所定の長さに延設される延長片３２０とから構成される。
【００１６】
回転体３１０が回転する回転の中心から収容部材２００の内面側へ延設される回転体３１０と、その端部から延設される延長片３２０とは、同一の磁性を持つことが好ましく、そのそれぞれは回転部材３００の回転方向に沿ってお互い交番に異なる磁性を持つようにされるべきである。
【００１７】
すなわち、電気を生産することができるようにＮ極とＳ極が交番に配置されなければならない。延長片３２０とコイル束２２０との対向面積を大きくし且つ外気によって高速回転ができるように、延長片３２０は収容部材２００の内面に沿って屈曲されるように設けられることが効果的である。
【００１８】
そして、多くの電気を発生させるためには、回転体３１０の端部から延設された延長片３２０が収容部材２００の内面のコイル束２２０に最大限近接した位置に配置されるように、回転体３１０の長さを調節することが効果的である。
【００１９】
このような構成を持つ風力発電機の動作方法は次のとおりである。
【００２０】
収容部材２００の内部に流入した風が回転部材３００を回転させ、この回転部材３００の回転によって、それぞれの磁性を持つ延長片３２０と収容部材２００の内面のコイル束２２０との間に磁気誘導現象が発生することにより、電気が生産される。
【００２１】
生産された電気は収容部材２００と電気的に接続された蓄電池４００に蓄積される。必要の際に、蓄電池４００と電気機器とを連結して、生産された電気を使用することができる。
【００２２】
雨天の際或いは大気中に異物が多い天気の際には、雨水や雪などの水分又は異物が収容部材２００の内部に流入できるが、収容部材２００の内部に流入した水分又は異物は、収容部材２００の屈曲された内側面に沿ってその底面に移動した後、排出孔２３０を介して収容部材２００の外部に排出されて回転部材３００の回転運動に悪影響を及ぼさない。
【００２３】
当該発明の属する技術分野における通常の知識を有する者であれば、本発明の技術的要旨を外れることなく多様な変形又は改造が可能であるのはもとより、それらの変更または改造も請求の範囲によって定められる本発明の技術的範囲に属するのはいうまでもない。
【符号の説明】
【００２４】
１１０    開口孔
２００    収容部材
２１０    切開部
２２０    コイル
２３０    排出孔
３００    回転部材
３１０    回転体
３２０    延長片
４００    蓄電池
【図１】
0005462370.tif 000002